(57)【特許請求の範囲】
【請求項１】
基地局のスケジューラに用いられるリソーススケジューリング方法であって、前記方法は、
ＲＲＣ層が送信したＳＰＳ配置情報を受信し、前記ＳＰＳ配置情報は、ＳＰＳの周期を含み、前記ＳＰＳの周期は、隣接する２つのスケジューリングサブフレームの間の時間間隔を指示するためのものであるステップと、
前記ＳＰＳ配置情報及び参照情報によって、ターゲットスケジューリングサブフレームにおける活性化されたｓＴＴＩリソースを確定するステップと、
前記物理層が前記活性化パラメータを含む活性化通知を生成されるように、前記ターゲットスケジューリングサブフレームにおける活性化されたｓＴＴＩリソースによって、物理層に活性化パラメータを提供し、前記活性化通知は、端末に前記ターゲットスケジューリングサブフレームにおける活性化されたｓＴＴＩリソースを通知するためのものであるステップと、を含み、
前記ＳＰＳ配置情報は、前記活性化されたｓＴＴＩリソースの数の基準値をさらに含む
ことを特徴とするリソーススケジューリング方法。
【請求項２】
前記活性化パラメータは、前記ターゲットスケジューリングサブフレームにおける活性化されたｓＴＴＩリソースの数及び位置を指示するためのものである
ことを特徴とする請求項１に記載の方法。
【請求項３】
前記活性化通知は、１つのサブフレームを通知周期とする
ことを特徴とする請求項１または２に記載の方法。
【請求項４】
前記活性化通知は下り制御情報ＤＣＩである
ことを特徴とする請求項１〜３のいずれか１項に記載の方法。
【請求項５】
前記参照情報は、ｓＴＴＩ配置情報、前記スケジューラがスケジューリングするデータ、無線リソース状況のうちの少なくとも１つを含む
ことを特徴とする請求項１〜４のいずれか１項に記載の方法。
【請求項６】
各ｓＴＴＩリソースは、０．５ｍｓ又は２つの直交周波数分割多重ＯＦＤＭシンボルである
ことを特徴とする請求項１〜５のいずれか１項に記載の方法。
【請求項７】
基地局に用いられるスケジューラであって、前記スケジューラは、
ＲＲＣ層が送信したＳＰＳ配置情報を受信し、前記ＳＰＳ配置情報は、ＳＰＳの周期を含み、前記ＳＰＳの周期は、隣接する２つのスケジューリングサブフレームの間の時間間隔を指示するためのものである受信モジュールと、
前記ＳＰＳ配置情報及び参照情報によって、ターゲットスケジューリングサブフレームにおける活性化されたｓＴＴＩリソースを確定する確定モジュールと、
前記物理層が前記活性化パラメータを含む活性化通知を生成されるように、前記ターゲットスケジューリングサブフレームにおける活性化されたｓＴＴＩリソースによって、物理層に活性化パラメータを提供し、前記活性化通知は、端末が前記ターゲットスケジューリングサブフレームにおける活性化されたｓＴＴＩリソースを通知するためのものである送信モジュールと、を備え、
前記ＳＰＳ配置情報は、前記活性化されたｓＴＴＩリソースの数の基準値をさらに含む
ことを特徴とするスケジューラ。
【請求項８】
前記活性化パラメータは、前記ターゲットスケジューリングサブフレームにおける活性化されたｓＴＴＩリソースの数及び位置を指示するためのものである
ことを特徴とする請求項７に記載のスケジューラ。
【請求項９】
前記活性化通知は、１つのサブフレームを通知周期とする
ことを特徴とする請求項７または８に記載のスケジューラ。
【請求項１０】
前記活性化通知は下り制御情報ＤＣＩである
ことを特徴とする請求項７〜９のいずれか１項に記載のスケジューラ。
【請求項１１】
前記参照情報は、ｓＴＴＩ配置情報、前記スケジューラがスケジューリングするデータ、無線リソース状況のうちの少なくとも１つを含む
ことを特徴とする請求項７〜１０のいずれか１項に記載のスケジューラ。
【請求項１２】
各ｓＴＴＩリソースは、０．５ｍｓ又は２つの直交周波数分割多重ＯＦＤＭシンボルである
ことを特徴とする請求項７〜１１のいずれか１項に記載のスケジューラ。
【請求項１３】
請求項７〜１２のいずれか１項に記載のスケジューラを備える
ことを特徴とする基地局。
【請求項１４】
基地局及び少なくとも１つの端末を備え、
前記基地局は、請求項７〜１２のいずれか１項に記載のスケジューラを備え、
前記端末は、基地局が送信したＳＰＳ配置情報を受信し、前記ＳＰＳ配置情報は、ＳＰＳの周期を含み、前記ＳＰＳの周期は、隣接する２つのスケジューリングサブフレームの間の時間間隔を指示するためのものである構成受信モジュールと、
前記ＳＰＳの周期によって、前記基地局が送信した活性化通知を取得し、前記活性化通知は、活性化パラメータを含み、前記活性化パラメータは、ターゲットスケジューリングサブフレームにおける活性化されたｓＴＴＩリソースを指示するためのものである通知取得モジュールと、
前記ターゲットスケジューリングサブフレーム内で、前記活性化されたｓＴＴＩリソースを占めてデータを伝送するデータ伝送モジュールと、を備える
ことを特徴とするリソーススケジューリングシステム。
【請求項１５】
前記端末は、前記活性化パラメータは、前記ターゲットスケジューリングサブフレームにおける活性化されたｓＴＴＩリソースの数及び位置を指示するためのものである
ことを特徴とする請求項１４に記載のリソーススケジューリングシステム。
【請求項１６】
前記端末は、前記活性化通知は下り制御情報ＤＣＩである
ことを特徴とする請求項１４又は１５に記載のリソーススケジューリングシステム。
【請求項１７】
前記端末は、各ｓＴＴＩリソースは、０．５ｍｓ又は２つの直交周波数分割多重ＯＦＤＭシンボルである
ことを特徴とする請求項１４〜１６のいずれか１項に記載のリソーススケジューリングシステム。
【請求項１８】
プロセッサーに実行されることにより、請求項１〜６のいずれか１項に記載のリソーススケジューリング方法を実現する、プログラム。
【請求項１９】
請求項１８に記載のプログラムが記録されたコンピュータ読取可能な記録媒体。
【発明の詳細な説明】
【技術分野】
【０００１】
本発明は、無線通信技術分野に関し、特にリソーススケジューリング方法、スケジューラ、基地局、端末、システム、プログラム及び記憶媒体に関する。 
【背景技術】
【０００２】
無線通信技術の発展につれて、関連組織は、次世代移動通信技術標準規格の研究及び標準化を行い、その中で、遅延時間短縮（ｌａｔｅｎｃｙ  ｒｅｄｕｃｔｉｏｎ）項目の研究及び標準化が１つの重点項目である。関連組織は、先日に物理層の遅延時間短縮項目を通過させ、目標は、ＴＴＩ（Ｔｒａｎｓｍｉｓｓｉｏｎ  Ｔｉｍｅ  Ｉｎｔｅｒｖａｌ，伝送時間間隔）をｓＴＴＩ（ｓｈｏｒｔ  ＴＴＩ，短いＴＴＩ）に短縮させること、即ち、ＴＴＩの時間を短縮させることによって、遅延時間短縮の目的を達成することである。
【０００３】
ＬＴＥ（Ｌｏｎｇ  Ｔｅｒｍ  Ｅｖｏｌｕｔｉｏｎ，長期間エボルーション）システムにおいて、ＴＴＩは１ｍｓ（ミリ秒）であり、１つのサブフレームの長さに相当する。したがって、現在のＬＴＥシステムにおいては、高位層により活性化しようとするサブフレームの位置を配置し、低位層のスケジューラにより上記配置に基づいてサブフレームを活性化する技術案を採用してＴＴＩリソースを活性化している。
【発明の概要】
【発明が解決しようとする課題】
【０００４】
本発明は、リソーススケジューリング方法、スケジューラ、基地局、端末、システム、プログラム及び記憶媒体を提供する。 
【課題を解決するための手段】
【０００５】
前記課題を解決するための手段は以下の通りである。
【０００６】
本発明の第１の態様によれば、基地局のスケジューラに用いられるリソーススケジューリング方法を提供し、前記方法は、
ＲＲＣ（Ｒａｄｉｏ  Ｒｅｓｏｕｒｃｅ  Ｃｏｎｔｒｏｌ，無線リソース制御）層が送信したＳＰＳ（Ｓｅｍｉ−Ｐｅｒｓｉｓｔｅｎｔ  Ｓｃｈｅｄｕｌｉｎｇ，半静的スケジューリング／半永続スケジューリング）配置情報を受信し、前記ＳＰＳ配置情報は、ＳＰＳの周期を含み、前記ＳＰＳの周期は、隣接する２つのスケジューリングサブフレームの間の時間間隔を指示するためのものであるステップと、
前記ＳＰＳ配置情報及び参照情報によって、ターゲットスケジューリングサブフレームにおける活性化されたｓＴＴＩリソースを確定するステップと、
前記物理層が前記活性化パラメータを含む活性化通知を生成されるように、前記ターゲットスケジューリングサブフレームにおける活性化されたｓＴＴＩリソースによって、物理層に活性化パラメータを提供し、前記活性化通知は、端末に前記ターゲットスケジューリングサブフレームにおける活性化されたｓＴＴＩリソースを通知するためのものであるステップと、を含む。
【０００７】
選択的に、前記ＳＰＳ配置情報は、前記活性化されたｓＴＴＩリソースの数の基準値をさらに含む。
【０００８】
選択的に、前記活性化パラメータは、前記ターゲットスケジューリングサブフレームにおける活性化されたｓＴＴＩリソースの数及び位置を指示するためのものである。
【０００９】
選択的に、前記活性化通知は、１つのサブフレームを通知周期とする。
【００１０】
選択的に、前記活性化通知は、ＤＣＩ（Ｄｏｗｎｌｉｎｋ  Ｃｏｎｔｒｏｌ  Ｉｎｆｏｒｍａｔｉｏｎ，下り制御情報）である。
【００１１】
選択的に、前記参照情報は、ｓＴＴＩ配置情報、前記スケジューラがスケジューリングするデータ、無線リソース状況のうちの少なくとも１つを含む。
【００１２】
選択的に、各ｓＴＴＩリソースは、０．５ｍｓ又は２つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，直交周波数分割多重）シンボルである。
【００１３】
本発明の第２の態様によれば、端末に用いられるリソーススケジューリング方法を提供し、前記方法は、
基地局が送信したＳＰＳ配置情報を受信し、前記ＳＰＳ配置情報は、ＳＰＳの周期を含み、前記ＳＰＳの周期は、隣接する２つのスケジューリングサブフレームの間の時間間隔を指示するためのものであるステップと、
前記ＳＰＳの周期によって、前記基地局が送信した活性化通知を取得し、前記活性化通知は、活性化パラメータを含み、前記活性化パラメータは、ターゲットスケジューリングサブフレームにおける活性化されたｓＴＴＩリソースを指示するためのものであるステップと、
前記ターゲットスケジューリングサブフレーム内で、前記活性化されたｓＴＴＩリソースを占めてデータを伝送するステップと、を含む。
【００１４】
選択的に、前記活性化パラメータは、前記ターゲットスケジューリングサブフレームにおける活性化されたｓＴＴＩリソースの数及び位置を指示するためのものである。
【００１５】
選択的に、前記活性化通知はＤＣＩである。
【００１６】
選択的に、各ｓＴＴＩリソースは、０．５ｍｓ又は２つのＯＦＤＭシンボルである。
【００１７】
本発明の第３の態様によれば、基地局に用いられるスケジューラを提供し、前記スケジューラは、
ＲＲＣ層が送信したＳＰＳ配置情報を受信し、前記ＳＰＳ配置情報は、ＳＰＳの周期を含み、前記ＳＰＳの周期は、隣接する２つのスケジューリングサブフレームの間の時間間隔を指示するためのものである受信モジュールと、
前記ＳＰＳ配置情報及び参照情報によって、ターゲットスケジューリングサブフレームにおける活性化されたｓＴＴＩリソースを確定する確定モジュールと、
前記物理層が前記活性化パラメータを含む活性化通知を生成されるように、前記ターゲットスケジューリングサブフレームにおける活性化されたｓＴＴＩリソースによって、物理層に活性化パラメータを提供し、前記活性化通知は、端末が前記ターゲットスケジューリングサブフレームにおける活性化されたｓＴＴＩリソースを通知するためのものである送信モジュールと、を備える。
【００１８】
選択的に、前記ＳＰＳ配置情報は、前記活性化されたｓＴＴＩリソースの数の基準値をさらに含む。
【００１９】
選択的に、前記活性化パラメータは、前記ターゲットスケジューリングサブフレームにおける活性化されたｓＴＴＩリソースの数及び位置を指示するためのものである。
【００２０】
選択的に、前記活性化通知は、１つのサブフレームを通知周期とする。
【００２１】
選択的に、前記活性化通知はＤＣＩである。
【００２２】
選択的に、前記参照情報は、ｓＴＴＩ配置情報、前記スケジューラがスケジューリングするデータ、無線リソース状況のうちの少なくとも１つを含む。
【００２３】
選択的に、各ｓＴＴＩリソースは、０．５ｍｓ又は２つのＯＦＤＭシンボルである。
【００２４】
本発明の第４の態様によれば、基地局を提供し、前記基地局は、第３の態様及びそのいずれか１つの選択可能な設計に提供されたスケジューラを備える。
【００２５】
本発明の第５の態様によれば、端末を提供し、前記端末は、
基地局が送信したＳＰＳ配置情報を受信し、前記ＳＰＳ配置情報は、ＳＰＳの周期を含み、前記ＳＰＳの周期は、隣接する２つのスケジューリングサブフレームの間の時間間隔を指示するためのものである構成受信モジュールと、
前記ＳＰＳの周期によって、前記基地局が送信した活性化通知を取得し、前記活性化通知は、活性化パラメータを含み、前記活性化パラメータは、ターゲットスケジューリングサブフレームにおける活性化されたｓＴＴＩリソースを指示するためのものである通知取得モジュールと、
前記ターゲットスケジューリングサブフレーム内で、前記活性化されたｓＴＴＩリソースを占めてデータを伝送するデータ伝送モジュールと、を備える。
【００２６】
選択的に、前記活性化パラメータは、前記ターゲットスケジューリングサブフレームにおける活性化されたｓＴＴＩリソースの数及び位置を指示するためのものである。
【００２７】
選択的に、前記活性化通知はＤＣＩである。
【００２８】
選択的に、各ｓＴＴＩリソースは、０．５ｍｓ又は２つのＯＦＤＭシンボルである。
【００２９】
本発明の第６の態様によれば、リソーススケジューリングシステムを提供し、前記システムは、基地局及び少なくとも１つの端末を備え、
前記基地局は、第３の態様及びそのいずれか１つの選択可能な設計に提供されたスケジューラを備え、
前記端末は、第５の態様及びそのいずれか１つの選択可能な設計に提供された端末である。
【００３０】
本発明の第７の態様によれば、基地局を提供し、前記基地局は、
プロセッサーと、
プロセッサーで実行可能な指令を記憶するためのメモリとを備え、
前記プロセッサーは、
ＲＲＣ層がスケジューラにＳＰＳ配置情報を送信することを制御し、前記ＳＰＳ配置情報は、ＳＰＳの周期を含み、前記ＳＰＳの周期は、隣接する２つのスケジューリングサブフレームの間の時間間隔を指示するためのものであり、
前記スケジューラが前記ＳＰＳ配置情報及び参照情報によって、ターゲットスケジューリングサブフレームにおける活性化されたｓＴＴＩリソースを確定するとともに、前記ターゲットスケジューリングサブフレームにおける活性化されたｓＴＴＩリソースによって、物理層に活性化パラメータを提供することを制御し、
前記物理層が前記活性化パラメータを含む活性化通知を生成するとともに、端末に前記活性化通知を送信することを制御し、前記活性化通知は、前記端末が前記ターゲットスケジューリングサブフレームにおける活性化されたｓＴＴＩリソースを通知するためのものであるように構成される。
【００３１】
本発明の実施例の第８の態様によれば、端末を提供し、前記端末は、
プロセッサーと、
プロセッサーで実行可能な指令を記憶するためのメモリとを備え、
前記プロセッサーは、
基地局が送信したＳＰＳ配置情報を受信し、前記ＳＰＳ配置情報は、ＳＰＳの周期を含み、前記ＳＰＳの周期は、隣接する２つのスケジューリングサブフレームの間の時間間隔を指示するためのものであり、
前記ＳＰＳの周期によって、前記基地局が送信した活性化通知を取得し、前記活性化通知は、活性化パラメータを含み、前記活性化パラメータは、ターゲットスケジューリングサブフレームにおける活性化されたｓＴＴＩリソースを指示し、
前記ターゲットスケジューリングサブフレーム内で、前記活性化されたｓＴＴＩリソースを占めてデータを伝送するように構成される。
本発明の第９の態様によれば、プロセッサーに実行されることにより、上記方法を実現する、プログラムを提供する。
本発明の第１０の態様によれば、上記プログラムが記録されたコンピュータ読取可能な記録媒体を提供する。
【発明の効果】
【００３２】
本発明に提供された技術案によれば、以下のような技術効果が奏される。
【００３３】
スケジューラＲＲＣ層が送信したＳＰＳ配置情報を受信し、ＳＰＳ配置情報及び参照情報によって、ターゲットスケジューリングサブフレームにおける活性化されたｓＴＴＩリソースを確定することによって、従来の技術において、高位層により活性化するｓＴＴＩリソースを配置することによるｓＴＴＩリソーススケジューリングの柔軟性が制限され、リソースが無駄になり、及び再配置にかかる時間が増加する問題が解決され、これによって、ｓＴＴＩリソースのスケジューリングがＳＰＳ配置の固定した制限に限られなくなり、ｓＴＴＩリソーススケジューリングの柔軟性を向上させ、基地局のスケジューラがｓＴＴＩリソースの粒度を便利に調整できるようになり、リソースが無駄になる問題を避け、且つ再配置にかかる時間の節約に有利である。
【００３４】
なお、前記一般的な記載及び後述の詳細な記載は、単なる例示的で解釈的な記載であり、本発明を限定しない。
【図面の簡単な説明】
【００３５】
ここの図面は、明細書に組み入れて本明細書の一部分を構成し、本発明に該当する実施例を例示するとともに、明細書とともに本発明の原理を解釈する。
【００３６】
【図１】一例示的な実施例に係る応用シーンを示す図である。
【図２】一例示的な実施例に係るリソーススケジューリング方法を示すフローチャートである。
【図３】図２に示す実施例に係るリソース活性化を示す図である。
【図４】他の例示的な実施例に係るリソーススケジューリング方法を示すフローチャートである。
【図５】他の例示的な実施例に係るリソーススケジューリング方法を示すフローチャートである。
【図６】一例示的な実施例に係るスケジューラを示すブロックチャートである。
【図７】一例示的な実施例に係る端末を示すブロックチャートである。
【図８】一例示的な実施例に係る基地局の構造を示す図である。
【図９】一例示的な実施例に係る端末の構造を示す図である。
【発明を実施するための形態】
【００３７】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００３８】
本発明の実施例に記載のネットワークアーキテクチャ及び業務シーンは、本発明の実施例の技術案をよりはっきり説明するためのものであり、本発明の実施例に提供された技術案に対して限定しなく、ネットワークアーキテクチャの変化及び新しい業務シーンの出現につれて、本発明の実施例に提供された技術案が、類似している技術的問題に対しても同様に適用されることは当業者にとってよく知られている。
【００３９】
図１は、一例示的な実施例に係る応用シーンを示す図である。前記応用シーンは、基地局１１０及び少なくとも１つの端末を備える。
【００４０】
図１に示すように、端末の数は、一般的に複数であり、前記複数の端末は、基地局１１０により管理されるセル内に位置する。本発明の実施例では、ターゲット端末は、基地局１１０により管理されるセル内のいずれか１つの端末であってもよい。例示的に、図１に示すように、ターゲット端末を符号１２０で表示し、基地局１１０により管理されるセル内においてターゲット端末１２０以外の他の端末を符号１３０で表示する。本発明の実施例では、基地局１１０とターゲット端末１２０との間のインタラクティブフローのみを例として説明し、基地局１１０と様々な他の端末１３０との間のインタラクティブフローについては、基地局１１０とターゲット端末１２０との間のインタラクティブフローを参照すればよい。
【００４１】
基地局１１０と端末（例えば、端末１２０、端末１３０等）との間は、何らかのエアインターフェース技術によって互いに通信し、例えば、セルラー技術によって互いに通信することができる。本発明の実施例に記載の技術案は、ＬＴＥシステムに適用され、ＬＴＥ−Ａ（ＬＴＥ−Ａｄｖａｎｃｅｄ）システム、第５世代（５ｔｈ  Ｇｅｎｅｒａｔｉｏｎ，５Ｇ）システム等のＬＴＥシステムの後続のエボリューションシステムにも適用される。
【００４２】
本発明の実施例では、名詞「ネットワーク」と「システム」をよく交互に使用するが、当業者には、その意味がよく理解される。本発明の実施例に係る端末は、無線通信機能を有する各種の携帯用装置、車載装置、ウェアラブル装置、計算装置又は無線モデムに接続される他の処理装置、及び様々な形式のユーザ装置（Ｕｓｅｒ  Ｅｑｕｉｐｍｅｎｔ，ＵＥ）、移動局（Ｍｏｂｉｌｅ  Ｓｔａｔｉｏｎ，ＭＳ）、端末装置（ｔｅｒｍｉｎａｌ  ｄｅｖｉｃｅ）等を含んでもよい。記載の便宜上、前述の装置を端末と総称する。本発明の実施例に係る基地局（Ｂａｓｅ  Ｓｔａｔｉｏｎ，ＢＳ）は、無線アクセスネットワークに配置されて、端末に無線通信機能を提供する装置である。前記基地局は、様々な形式のマクロ基地局、マイクロ基地局、中継局、アクセスポイント等を含んでもよい。異なる無線アクセス技術を採用したシステムにおいて、基地局機能を有する装置はその名称がそれぞれ異なる場合がある。例えば、ＬＴＥシステムにおいては、エボルブドノードＢ（ｅｖｏｌｖｅｄ  ＮｏｄｅＢ，ｅＮＢ又はｅＮｏｄｅＢ）と呼ばれる。記載の便宜上、本発明の実施例では、上記端末に無線通信機能を提供する装置を基地局又はＢＳと総称する。
【００４３】
一可能な設計において、各ｓＴＴＩリソースのそれぞれは０．５ｍｓである。他の可能な設計において、各ｓＴＴＩリソースのそれぞれは、２つのＯＦＤＭシンボルである。ＴＴＩがｓＴＴＩに短縮された後、１つのサブフレームは、複数のｓＴＴＩリソースを含むことができる。例えば、各ｓＴＴＩリソースのそれぞれが２つのＯＦＤＭシンボルである場合、１つのサブフレームは、７つのｓＴＴＩリソースを含むことができる。上記形態を流用して、高位層により、活性化するｓＴＴＩリソースの数及び位置を配置すると、ｓＴＴＩリソーススケジューリングの柔軟性が制限され、且つリソースが無駄になる問題が存在する。また、活性化するｓＴＴＩリソースの数及び位置を調整する必要がある場合には、高位層により再配置を行う必要があり、この間は、高位層と低位層とがシグナリングインタラクティブを行う必要があり、疑問の余地がなく再配置にかかる時間を増加させるので、明らかに遅延時間短縮の要求を満たすことができなくなる。これに基づき、本発明の実施例は、ｓＴＴＩリソースの分配やスケジューリングに存在する問題を解決するために、リソーススケジューリング方法、及びこの方法に基づくスケジューラ、基地局、端末及びシステムを提供する。本発明の実施例に提供された技術案の中心思想は、高位層によりＳＰＳの周期を配置し、低位層のスケジューラがｓＴＴＩリソースを分配及び活性化することを担うことである。
【００４４】
以下、上述の本発明の実施例に係る共通性の面に基づき、本発明の実施例についてさらに詳しく説明する。
【００４５】
図２は、一例示的な実施例に係るリソーススケジューリング方法を示すフローチャートである。前記方法は、基地局のスケジューラに用いられる。スケジューラは、基地局の１つの機能エンティティであり、主に、時間周波数リソースの分配及びスケジューリングを担う。前記方法は、下記のステップを含んでもよい。
【００４６】
ステップ２０１：ＲＲＣ層が送信したＳＰＳ配置情報を受信し、ＳＰＳ配置情報は、ＳＰＳの周期を含む。
【００４７】
本発明の実施例では、高位層（即ち、ＲＲＣ層）により、ＳＰＳの周期を配置する。ＳＰＳの周期は、隣接する２つのスケジューリングサブフレームの間の時間間隔を指示するためのものである。スケジューリングサブフレームとは、スケジューラが、その中からｓＴＴＩリソースを選択し、分配及び活性化されるサブフレームである。本発明の実施例では、ＳＰＳの周期の長さに対して限定しないが、ＳＰＳの周期の長さは、４０ｍｓ、２０ｍｓ、１０ｍｓ、５ｍｓ、２ｍｓ又は１ｍｓのいずれか１つを含むがこれに限定されない。本実施例では、上記ＳＰＳ配置情報は、基地局が管理するセル内のターゲット端末のために配置したものであるとする。例えば、基地局がターゲット端末のために配置したＳＰＳの周期が１０ｍｓである場合、ターゲット端末の隣接する２つのスケジューリングサブフレームの間の時間間隔は１０ｍｓである。ターゲット端末のスケジューリングサブフレームにおいて、スケジューラは、その中からｓＴＴＩリソースを選択してターゲット端末に分配するとともに、分配されたｓＴＴＩリソースを活性化してもよい。
【００４８】
本発明の実施例では、高位層によりＳＰＳ配置情報を配置するときに、次の両方の可能な状況が存在する。第１、活性化されたｓＴＴＩリソースの数及び位置を付与しない。第２、活性化されたｓＴＴＩリソースの数の基準値を付与するが、活性化されたｓＴＴＩリソースの位置は付与しない。上記第２の可能な状況に対して、ＳＰＳ配置情報は、活性化されたｓＴＴＩリソースの数の基準値をさらに含み、前記基準値は、高位層が実際の業務状況によって設定されてもよい。例えば、各ｓＴＴＩリソースのそれぞれが２つのＯＦＤＭシンボルである場合、１つのサブフレームは、７つのｓＴＴＩリソースを含んでもよく、高位層がターゲット端末の実際の業務状況によって、例えば、活性化されたｓＴＴＩリソースの数の基準値を３として付与する。
【００４９】
０．５ｍｓ及び２つのＯＦＤＭシンボルの２つの異なるｓＴＴＩリソースを同時にサポートする場合、高位層が活性化されたｓＴＴＩリソースの数の基準値を付与すると，前記基準値は、全部で７つの可能な値が存在し、前記基準値は、３つのｂｉｔ（ビット）を採用して示すことができる。
【００５０】
ステップ２０２：ＳＰＳ配置情報及び参照情報によって、ターゲットスケジューリングサブフレームにおける活性化されたｓＴＴＩリソースを確定する。
【００５１】
本発明の実施例では、低位層のスケジューラがｓＴＴＩリソースを分配及び活性化することを担う。スケジューラは、ＭＡＣ（Ｍｅｄｉａ  Ａｃｃｅｓｓ  Ｃｏｎｔｒｏｌ，メディアアクセス制御）層に位置することができる。スケジューラは、ターゲット端末のＳＰＳ配置情報及び参照情報によって、ターゲット端末の各スケジューリングサブフレームにおいて、ｓＴＴＩリソースを活性化する必要があるか否かを確定し、ターゲットスケジューリングサブフレーム中のｓＴＴＩリソースを活性化する必要があることを確定した場合、ターゲットスケジューリングサブフレームにおける活性化されたｓＴＴＩリソースをさらに確定する。スケジューラは、具体的には、ターゲットスケジューリングサブフレームにおける活性化されたｓＴＴＩリソースの数及び位置を確定する。ここで、参照情報は、ｓＴＴＩ配置情報、スケジューラがスケジューリングするデータ、無線リソース状況のうちの少なくとも１つを含むが、これに限定されない。ｓＴＴＩ配置情報は、各ｓＴＴＩリソースの時間を指示するための情報を含み、例えば、ｓＴＴＩ配置情報は、０．５ｍｓ及び２つのＯＦＤＭシンボルの２つの選択可能なパラメータを含む。スケジューラがスケジューリングするデータは、スケジューラがスケジューリングする総データ量、及びスケジューラがターゲット端末のためにスケジューリングするデータ量等の情報を含んでもよい。無線リソース状況は、無線リソースの分配、占用、品質等の状況を含んでもよく、例えば、他の端末のためにｓＴＴＩリソースを分配する状況、ｓＴＴＩリソースの干渉状況等を含んでもよい。スケジューラは、設定したスケジューリングアルゴリズムによって上記の各情報に対して処理を行い、ターゲット端末の各スケジューリングサブフレームにおいてｓＴＴＩリソースを活性化する必要があるか否かを確定し、また、ターゲットスケジューリングサブフレーム中のｓＴＴＩリソースを活性化する必要があることを確定した場合、ターゲットスケジューリングサブフレームにおける活性化されたｓＴＴＩリソースをさらに確定する。
【００５２】
一例では、図３に示すように、各ｓＴＴＩリソースのそれぞれは、２つのＯＦＤＭシンボルであるとする。この場合、１つのサブフレームは、７つのｓＴＴＩリソースを含む。図３に示すように、ターゲット端末のある一つのスケジューリングサブフレーム内において、スケジューラは、最後の３つのｓＴＴＩリソースを選択して活性化を行う。さらに、ターゲット端末の異なるスケジューリングサブフレーム内において、スケジューラは、上記ＳＰＳ配置情報及び参照情報によって、活性化されたｓＴＴＩリソースの数及び／又は位置を適切に調整することができる。スケジューリングサブフレーム中のｓＴＴＩリソースがスケジューラにより活性化されると、前記スケジューリングサブフレームが活性化サブフレームになる。
【００５３】
ステップ２０３：物理層が上記活性化パラメータを含む活性化通知を生成されるように、ターゲットスケジューリングサブフレームにおける活性化されたｓＴＴＩリソースによって、物理層に活性化パラメータを提供する。前記活性化通知は、端末に前記ターゲットスケジューリングサブフレームにおける活性化されたｓＴＴＩリソースを通知するためのものである。
【００５４】
活性化パラメータは、ターゲットスケジューリングサブフレームにおける活性化されたｓＴＴＩリソースを指示するためのものである。選択的に、活性化パラメータは、ターゲットスケジューリングサブフレームにおける活性化されたｓＴＴＩリソースの数及び位置を指示するためのものである。例えば、ターゲットスケジューリングサブフレームがターゲット端末のある一つのスケジューリングサブフレームである場合、基地局は、ターゲット端末に活性化パラメータを含む活性化通知を送信する。前記活性化通知は、ターゲット端末にターゲットスケジューリングサブフレームにおける活性化されたｓＴＴＩリソースを通知するためのものである。
【００５５】
選択的に、活性化通知はＤＣＩであり、ＤＣＩは、活性化されたｓＴＴＩリソースの数及び位置を指示するパラメータを含む。例えば、ｓＴＴＩリソースの数及び位置は、ビットマッピング（ｂｉｔｍａｐ）の方式で示すことができる。また、高位層がＳＰＳ配置情報において活性化されたｓＴＴＩリソースの数の基準値を付与するとともに、前記基準値を最終で確定した活性化されたｓＴＴＩリソースの数とした場合、活性化通知が含む活性化パラメータは、活性化されたｓＴＴＩリソースの位置だけを指示すればよい。これにより、活性化パラメータに必要なビットの数を節約することができる。選択的に、活性化通知は、１つのサブフレームを通知周期とする。活性化通知がＤＣＩである場合、スローＤＣＩ、即ち、通知周期が１つのサブフレーム（即ち、１ｍｓ）であるＤＣＩを選んで使用する。
【００５６】
また、異なる活性化サブフレームに対して、スケジューラは、自分でＳＰＳ配置情報及び参照情報によって、活性化されたｓＴＴＩリソースの数及び／又は位置を適切に調整して、ｓＴＴＩリソースの再配置を実現することができる。スケジューラがｓＴＴＩリソースを非活性化する必要がある場合、スケジューラは、物理層に非活性化指示を送信して、物理層に非活性化通知を生成させ、基地局は端末に非活性化通知を送信して、端末にｓＴＴＩリソースを非活性化するように通知する。
【００５７】
上記のように、本発明の実施例に提供された方法によれば、スケジューラは、ＲＲＣ層が送信したＳＰＳ配置情報を受信し、ＳＰＳ配置情報及び参照情報によって、ターゲットスケジューリングサブフレームにおける活性化されたｓＴＴＩリソースを確定することによって、従来の技術において、高位層により活性化するｓＴＴＩリソースを配置することによるｓＴＴＩリソーススケジューリングの柔軟性が制限され、リソースが無駄になり、及び再配置にかかる時間が増加する問題が解決され、ｓＴＴＩリソースのスケジューリングがＳＰＳ配置の固定した制限に限られなくなり、ｓＴＴＩリソーススケジューリングの柔軟性を向上させ、基地局のスケジューラがｓＴＴＩリソースの粒度を便利に調整できるようになり、リソースが無駄になる問題を避け、且つ再配置にかかる時間の節約に有利である。
【００５８】
また、本発明の実施例に提供された形態は、上りＳＰＳ及び下りＳＰＳに適用される。
【００５９】
図４は、他の例示的な実施例に係るリソーススケジューリング方法を示すフローチャートである。前記方法は、端末に用いられる。前記方法は、下記のステップを含んでもよい。
【００６０】
ステップ４０１：基地局が送信したＳＰＳ配置情報を受信し、ＳＰＳ配置情報は、ＳＰＳの周期を含む。
【００６１】
本発明の実施例では、ＳＰＳの周期は、基地局の高位層（即ち、ＲＲＣ層）により配置される。ＳＰＳの周期は、隣接する２つのスケジューリングサブフレームの間の時間間隔を指示するためのものである。一般的には、ＳＰＳ配置情報は、オフセット値をさらに含む。端末は、ＳＰＳの周期及びオフセット値によって、基地局が端末に分配した各スケジューリングサブフレームの位置を確定する。
【００６２】
ステップ４０２：ＳＰＳの周期によって、基地局が送信した活性化通知を取得する。活性化通知は、活性化パラメータを含み、活性化パラメータは、ターゲットスケジューリングサブフレームにおける活性化されたｓＴＴＩリソースを指示するためのものである。
【００６３】
端末は、各スケジューリングサブフレームの位置を確定した後、スケジューリングサブフレーム内で、基地局が送信した情報を取得し、前記情報に対して解析を行うことによって、前記スケジューリングサブフレーム内で、基地局が本端にｓＴＴＩリソースを分配するか否かを確定する。端末がターゲットスケジューリングサブフレーム内で、基地局が送信した活性化通知を取得した場合、解析を介して前記活性化通知は基地局により本端に送信されたと確定し、端末は、前記活性化通知に含まれた活性化パラメータを読み出す。活性化パラメータは、ターゲットスケジューリングサブフレームにおける活性化されたｓＴＴＩリソースを指示するためのものである。選択的に、活性化パラメータは、ターゲットスケジューリングサブフレームにおける活性化されたｓＴＴＩリソースの数及び位置を指示するためのものである。
【００６４】
選択的に、活性化通知はＤＣＩであり、ＤＣＩは、活性化されたｓＴＴＩリソースの数及び位置を指示するパラメータを含む。例えば、ｓＴＴＩリソースの数及び位置は、ビットマッピング（ｂｉｔｍａｐ）の方式で示すことができる。また、高位層がＳＰＳ配置情報における活性化されたｓＴＴＩリソースの数の基準値を付与するとともに、前記基準値を最終で確定した活性化されたｓＴＴＩリソースの数とした場合、活性化通知が含む活性化パラメータは、活性化されたｓＴＴＩリソースの位置だけを指示することがでる。これにより、活性化パラメータに必要なビットの数を節約することができる。
【００６５】
ステップ４０３：ターゲットスケジューリングサブフレーム内で、活性化されたｓＴＴＩリソースを占めてデータを伝送する。
【００６６】
端末は、ターゲットスケジューリングサブフレームにおける活性化されたｓＴＴＩリソースを確定した後、ターゲットスケジューリングサブフレーム内で、活性化されたｓＴＴＩリソースを占めてデータを受信及び／又は送信することができる。
【００６７】
本実施例では、基地局側に対応する端末側の操作フローを提供し、端末は、取得した活性化通知によって基地局が分配したｓＴＴＩリソースを確定し、上記活性化されたｓＴＴＩリソースを占めてデータを伝送する。本発明の実施例に提供された方法は、ｓＴＴＩリソースのスケジューリングがＳＰＳ配置の固定した制限に限られなくなり、ｓＴＴＩリソーススケジューリングの柔軟性を向上させ、基地局のスケジューラがｓＴＴＩリソースの粒度を便利に調整できるようになり、リソースが無駄になる問題を避け、且つ再配置にかかる時間の節約に有利である。
【００６８】
図５は、他の例示的な実施例に係るリソーススケジューリング方法を示すフローチャートである。前記方法は、図１に示す応用シーンに用いられる。前記方法は、下記のステップを含んでもよい。
【００６９】
ステップ５０１：基地局のＲＲＣ層は、スケジューラにＳＰＳ配置情報を送信するとともに、ＳＰＳ配置情報をターゲット端末に送信する。
【００７０】
ＳＰＳ配置情報は、ＳＰＳの周期を含む。選択的に、ＳＰＳ配置情報は、活性化されたｓＴＴＩリソースの数の基準値をさらに含む。選択的に、ＳＰＳ配置情報は、接続を確立又は釈放するように指示する情報、ＨＡＲＱ（Ｈｙｂｒｉｄ  Ａｕｔｏｍａｔｉｃ  Ｒｅｐｅａｔ  ｒｅＱｕｅｓｔ，ハイブリット自動再送）情報等をさらに含む。
【００７１】
ステップ５０２：ターゲット端末は、ＳＰＳ配置情報を受信した後、基地局に第１の受信応答を送信する。
【００７２】
第１の受信応答は、ターゲット端末が上記ＳＰＳ配置情報の受信に成功したことを指示するためのものである。
【００７３】
ステップ５０３：基地局のスケジューラは、ＳＰＳ配置情報及び参照情報によって、ターゲット端末のターゲットスケジューリングサブフレームにおける活性化されたｓＴＴＩリソースを確定する。
【００７４】
スケジューラは、ターゲット端末の各スケジューリングサブフレームにおいて、ｓＴＴＩリソースを活性化する必要があるか否かを確定し、また、ターゲットスケジューリングサブフレーム中のｓＴＴＩリソースを活性化する必要があると確定した場合、ターゲットスケジューリングサブフレームにおける活性化されたｓＴＴＩリソースの数及び位置をさらに確定する。選択的に、参照情報は、ｓＴＴＩ配置情報、スケジューラがスケジューリングするデータ、無線リソース状況のうちの少なくとも１つを含むが、これに限定されない。
【００７５】
ステップ５０４：基地局のスケジューラは、物理層に活性化パラメータを提供する。
【００７６】
活性化パラメータは、ターゲット端末のターゲットスケジューリングサブフレームにおける活性化されたｓＴＴＩリソースを指示するためのものである。選択的に、活性化パラメータは、ターゲットスケジューリングサブフレームにおける活性化されたｓＴＴＩリソースの数及び位置を指示するためのものである。
【００７７】
ステップ５０５：基地局の物理層は、上記活性化パラメータを含む活性化通知を生成するとともに、活性化通知をターゲット端末に送信する。
【００７８】
活性化通知は、ターゲット端末にターゲットスケジューリングサブフレームにおける活性化されたｓＴＴＩリソースを通知する。例えば、活性化されたｓＴＴＩリソースの数及び位置を通知する。選択的に、活性化通知はＤＣＩである。選択的に、活性化通知は、１つのサブフレーム（即ち、１ｍｓ）を通知周期とする。
【００７９】
相応的に、ターゲット端末は、ＳＰＳ配置情報によって、基地局が送信した活性化通知を取得する。
【００８０】
ステップ５０６：ターゲット端末は、基地局に第２の受信応答を送信する。
【００８１】
第２の受信応答は、ターゲット端末が上記活性化通知の受信に成功したことを指示するためのものである。
【００８２】
ステップ５０７：ターゲット端末は、ターゲットスケジューリングサブフレーム内で、活性化されたｓＴＴＩリソースを占めてデータを伝送する。
【００８３】
ステップ５０８：基地局のスケジューラは、物理層に非活性化指示を送信する。
【００８４】
ステップ５０９：基地局の物理層は、非活性化通知を生成するとともに、非活性化通知をターゲット端末に送信する。
【００８５】
スケジューラがｓＴＴＩリソースを非活性化する必要がある場合、スケジューラは物理層に非活性化指示を送信して、物理層が非活性化通知を生成するようにすることができる。基地局は、ターゲット端末に非活性化通知を送信して、ターゲット端末がｓＴＴＩリソースを非活性化するように通知する。
【００８６】
ステップ５１０：ターゲット端末は、非活性化通知を受信した後、基地局に第３の受信応答を送信する。
【００８７】
第３の受信応答は、指示ターゲット端末が上記非活性化通知の受信に成功したことを指示する。その後、ターゲット端末は、ｓＴＴＩリソースの占有を停止する。
【００８８】
上記のように、本発明の実施例に提供された方法によれば、スケジューラは、ＲＲＣ層が送信したＳＰＳ配置情報を受信し、ＳＰＳ配置情報及び参照情報によって、ターゲットスケジューリングサブフレームにおける活性化されたｓＴＴＩリソースを確定することによって、従来の技術において、高位層により活性化するｓＴＴＩリソースを配置することによるｓＴＴＩリソーススケジューリングの柔軟性が制限され、リソースが無駄になり、及び再配置にかかる時間が増加する問題が解決され、ｓＴＴＩリソースのスケジューリングがＳＰＳ配置の固定した制限に限られなくなり、ｓＴＴＩリソーススケジューリングの柔軟性を向上させ、基地局のスケジューラがｓＴＴＩリソースの粒度を便利に調整できるようになり、リソースが無駄になる問題を避け、且つ再配置にかかる時間の節約に有利である。
【００８９】
下記は本発明の装置の実施例であって、本発明の方法の実施例を実行するために用いられる。本発明の装置の実施例で開示されていない詳細に対しては、本発明の方法の実施例を参照ください。
【００９０】
図６は、一例示的な実施例に係るスケジューラを示すブロックチャートである。前記スケジューラは基地局に用いられる。前記スケジューラは、上記スケジューラ側のリソーススケジューリング方法を実現する機能を有し、前記機能は、ハードウェアにより実現されてもよく、ハードウェアにより相応のソフトウェアを実行して実現されてもよい。前記スケジューラは、受信モジュール６１０、確定モジュール６２０及び送信モジュール６３０を備えてもよい。
【００９１】
受信モジュール６１０は、ＲＲＣ層が送信したＳＰＳ配置情報を受信するように構成される。前記ＳＰＳ配置情報は、ＳＰＳの周期を含み、前記ＳＰＳの周期は、隣接する２つのスケジューリングサブフレームの間の時間間隔を指示するためのものである。
【００９２】
確定モジュール６２０は、前記ＳＰＳ配置情報及び参照情報によって、ターゲットスケジューリングサブフレームにおける活性化されたｓＴＴＩリソースを確定するように構成される。
【００９３】
送信モジュール６３０は、前記物理層が前記活性化パラメータを含む活性化通知を生成されるように、前記ターゲットスケジューリングサブフレームにおける活性化されたｓＴＴＩリソースによって、物理層に活性化パラメータを提供するように構成される。前記活性化通知は、端末が前記ターゲットスケジューリングサブフレームにおける活性化されたｓＴＴＩリソースを通知するためのものである。
【００９４】
選択的に、前記ＳＰＳ配置情報は、前記活性化されたｓＴＴＩリソースの数の基準値をさらに含む。
【００９５】
選択的に、前記活性化パラメータは、前記ターゲットスケジューリングサブフレームにおける活性化されたｓＴＴＩリソースの数及び位置を指示するためのものである。
【００９６】
選択的に、前記活性化通知は、１つのサブフレームを通知周期とする。
【００９７】
選択的に、前記活性化通知はＤＣＩである。
【００９８】
選択的に、前記参照情報は、ｓＴＴＩ配置情報、前記スケジューラがスケジューリングするデータ、無線リソース状況のうちの少なくとも１つを含む。
【００９９】
選択的に、各ｓＴＴＩリソースは、０．５ｍｓ又は２つの直交周波数分割多重ＯＦＤＭシンボルである。
【０１００】
上記のように、本発明の実施例に提供されたスケジューラによれば、スケジューラは、ＲＲＣ層が送信したＳＰＳ配置情報を受信し、ＳＰＳ配置情報及び参照情報によって、ターゲットスケジューリングサブフレームにおける活性化されたｓＴＴＩリソースを確定することによって、従来の技術において、高位層により活性化するｓＴＴＩリソースを配置することによるｓＴＴＩリソーススケジューリングの柔軟性が制限され、リソースが無駄になり、及び再配置にかかる時間が増加する問題が解決され、ｓＴＴＩリソースのスケジューリングがＳＰＳ配置の固定した制限に限られなくなり、ｓＴＴＩリソーススケジューリングの柔軟性を向上させ、基地局のスケジューラがｓＴＴＩリソースの粒度を便利に調整できるようになり、リソースが無駄になる問題を避け、且つ再配置にかかる時間の節約に有利である。
【０１０１】
本発明の一例示的な実施例は、基地局をさらに提供し、前記基地局は、図６に示す実施例に提供されたスケジューラを備える。
【０１０２】
図７は、一例示的な実施例に係る端末を示すブロックチャートである。前記端末は、上記端末側のリソーススケジューリング方法を実現する機能を有し、前記機能はハードウェアにより実現されてもよく、ハードウェアにより相応のソフトウェアを実行して実現されてもよい。前記端末は、構成受信モジュール７１０、通知取得モジュール７２０及びデータ伝送モジュール７３０を備えてもよい。
【０１０３】
構成受信モジュール７１０は、基地局が送信したＳＰＳ配置情報を受信するように構成される。前記ＳＰＳ配置情報は、ＳＰＳの周期を含み、前記ＳＰＳの周期は、隣接する２つのスケジューリングサブフレームの間の時間間隔を指示するためのものである。
【０１０４】
通知取得モジュール７２０は、前記ＳＰＳの周期によって、前記基地局が送信した活性化通知を取得するように構成される。前記活性化通知は、活性化パラメータを含み、前記活性化パラメータは、ターゲットスケジューリングサブフレームにおける活性化されたｓＴＴＩリソースを指示するためのものである。
【０１０５】
データ伝送モジュール７３０は、前記ターゲットスケジューリングサブフレーム内で、前記活性化されたｓＴＴＩリソースを占めてデータを伝送するように構成される。
【０１０６】
選択的に、前記活性化パラメータは、前記ターゲットスケジューリングサブフレームにおける活性化されたｓＴＴＩリソースの数及び位置を指示するためのものである。
【０１０７】
選択的に、前記活性化通知はＤＣＩである。
【０１０８】
選択的に、各ｓＴＴＩリソースは、０．５ｍｓ又は２つのＯＦＤＭシンボルである。
【０１０９】
本発明の実施例に提供された装置は、ｓＴＴＩリソースのスケジューリングがＳＰＳ配置の固定した制限に限られなくなり、ｓＴＴＩリソーススケジューリングの柔軟性を向上させ、基地局のスケジューラがｓＴＴＩリソースの粒度を便利に調整できるようになり、リソースが無駄になる問題を避け、且つ再配置にかかる時間の節約に有利である。
【０１１０】
本発明の一例示的な実施例は、リソーススケジューリングシステム（又は通信システムと呼ぶ）をさらに提供し、前記システムは、基地局及び少なくとも１つの端末を備える。前記基地局は、図６に示す実施例に提供されたスケジューラを備える。前記端末は、図７に示す実施例に提供された端末である。
【０１１１】
なお、上記実施例に提供された装置は、その機能を実現するとき、上記各機能モジュールの区分のみを例として説明したが、実際の応用においては、実際の需要によって上記機能の分配は異なる機能モジュールにより完成されてもよい。即ち、装置の構造を異なる機能モジュールに分割することによって、以上に記載の全部又は一部の機能を完成してもよい。
【０１１２】
上記実施例の装置において、各モジュールが操作を行う具体的な方式は、すでに関連方法の実施例で詳しく説明しており、ここで詳細な説明を省略する。
【０１１３】
本発明の一例示的な実施例は、基地局をさらに提供し、前記基地局は、本発明に提供された基地局側のリソーススケジューリング方法を実現することができる。前記基地局は、プロセッサーと、プロセッサーで実行可能な指令を記憶するためのメモリとを備え、前記プロセッサーは、
ＲＲＣ層がスケジューラにＳＰＳ配置情報を送信することを制御し、前記ＳＰＳ配置情報は、少なくともＳＰＳの周期を含み、前記ＳＰＳの周期は、隣接する２つのスケジューリングサブフレームの間の時間間隔を指示するためのものであり、
前記スケジューラが前記ＳＰＳ配置情報及び参照情報によって、ターゲットスケジューリングサブフレームにおける活性化されたｓＴＴＩリソースを確定するとともに、前記ターゲットスケジューリングサブフレームにおける活性化されたｓＴＴＩリソースによって、物理層に活性化パラメータを提供することを制御し、
前記物理層が前記活性化パラメータを含む活性化通知を生成するとともに、端末に前記活性化通知を送信することを制御し、前記活性化通知は、前記端末が前記ターゲットスケジューリングサブフレームにおける活性化されたｓＴＴＩリソースを通知するためのものであるように構成される。
【０１１４】
本発明の一例示的な実施例は、端末をさらに提供し、前記端末は、本発明に提供された端末側のリソーススケジューリング方法を実現することができる。前記端末は、プロセッサーと、プロセッサーで実行可能な指令を記憶するためのメモリを備え、前記プロセッサーは、
基地局が送信したＳＰＳ配置情報を受信し、前記ＳＰＳ配置情報は、ＳＰＳの周期を含み、前記ＳＰＳの周期は、隣接する２つのスケジューリングサブフレームの間の時間間隔を指示するためのものであり、
前記ＳＰＳの周期によって、前記基地局が送信した活性化通知を取得し、前記活性化通知は、活性化パラメータを含み、前記活性化パラメータは、ターゲットスケジューリングサブフレームにおける活性化されたｓＴＴＩリソースを指示するためのものであり、
前記ターゲットスケジューリングサブフレーム内で、前記活性化されたｓＴＴＩリソースを占めてデータを伝送するように構成される。
【０１１５】
上記は、主に、基地局及び端末がインタラクティブする観点から見て、本発明の実施例に提供された形態に対して紹介した。ただし、基地局及び端末は、上記機能を実現するために、各機能を実行するための相応のハードウェア構造及び／又はソフトウェアモジュールを含んでもよい。本発明に開示された実施例に記載の各例示のユニット及びアルゴリズムステップを併せて、本発明の実施例は、ハードウェア又はハードウェア、及びコンピュータソフトウェアの組み合わせ形式により実現されてもよい。ある機能がハードウェアまたはコンピュータソフトウェアのどちらにより実行されるかは、技術案の特定の応用及び設計の制約に依存する。当業者は、各々の特定の応用に対して、異なる方法を用いて記載の機能を実現することができるが、このような実現は、本発明の実施例の技術案の範囲を超えると見なすべきではない。
【０１１６】
図８は、一例示的な実施例に係る基地局の構造を示す図である。
【０１１７】
基地局８００は、送信機／受信機８０１及びプロセッサー８０２を備える。ここで、プロセッサー８０２は、コントローラであってもよく、図８においては、「コントローラ／プロセッサー８０２」として示す。前記送信機／受信機８０１は、基地局と上記実施例の前記端末との間の情報の送受信、及び前記端末と他の端末との間の無線通信をサポートする。前記プロセッサー８０２は、端末と通信するための様々な機能を実行する。上りリンクで、前記端末からの上りリンク信号はアンテナを介して受信されるとともに、受信機８０１により復調（例えば、高周波数信号をベースバンドに復調する）を行い、さらに、プロセッサー８０２により処理を行って、端末が送信した業務データ及びシグナリング情報を回復させる。下りリンクで、業務データ及びシグナリングメッセージは、プロセッサー８０２により処理を行うとともに、送信機８０１により変調（例えば、ベースバンドを高周波数信号に変調する）を行って、下りリンク信号を生成し、また、アンテナを介して端末に送信する。なお、上記復調又は変調機能は、プロセッサー８０２により完成されることもできる。例えば、プロセッサー８０２は、さらに、上記方法の実施例において基地局側に関するステップ、及び／又は本発明の実施例に記載の技術案の他のステップを実行する。
【０１１８】
さらに、基地局８００は、メモリ８０３をさらに備えてもよく、メモリ８０３は、基地局８００のプログラムコード及びデータを記憶する。また、基地局は、通信ユニット８０４をさらに備えてもよい。通信ユニット８０４は、基地局と他のネットワークエンティティ（例えば、コアネットワークにおけるネットワーク装置等）との通信をサポートする。例えば、ＬＴＥシステムにおいて、前記通信ユニット８０４は、基地局とサービングゲートウェイ（Ｓｅｒｖｉｎｇ  Ｇａｔｅｗａｙ，Ｓ−ＧＷ）との通信をサポートするＳ１−Ｕインターフェースであってもよく、又は、前記通信ユニット８０４は、基地局とモビリティ管理エンティティ（Ｍｏｂｉｌｉｔｙ  Ｍａｎａｇｅｍｅｎｔ  Ｅｎｔｉｔｙ，ＭＭＥ）との通信をサポートするＳ１−ＭＭＥインターフェースであってもよい。
【０１１９】
ただし、図８は、基地局８００の簡略化設計のみを示す。実際の応用においては、基地局８００は、任意の数の送信機、受信機、プロセッサー、コントローラ、メモリ、通信ユニット等を備えることができ、本発明の実施例を実現することができる全ての基地局は、本発明の実施例の範囲に含まれる。
【０１２０】
図９は、一例示的な実施例に係る端末の構造を示す図である。
【０１２１】
前記端末９００は、送信機９０１、受信機９０２及びプロセッサー９０３を備える。ここで、プロセッサー９０３は、コントローラであってもよく、図９においては、「コントローラ／プロセッサー９０３」として示す。選択的に、前記端末９００は、モデムプロセッサー９０５をさらに備えてもよく、ここで、モデムプロセッサー９０５は、エンコーダ９０６、変調器９０７、デコーダ９０８及び復調器９０９を備えてもよい。
【０１２２】
一例では、送信機９０１は、前記出力サンプルを調節（例えば、アナログ変換、フィルタリング、拡大及びアップコンバージョン等）するとともに、上りリンク信号を生成し、前記上りリンク信号は、アンテナを介して上記実施例に記載の基地局に送信される。下りリンク上で、アンテナは、上記実施例において基地局が送信した下りリンク信号を受信する。受信機９０２は、アンテナから受信した信号を調節（例えば、フィルタリング、拡大、ダウンコンバージョン及びディジタル化等）するとともに、入力サンプルを提供する。モデムプロセッサー９０５において、エンコーダ９０６は、上りリンクで送信する業務データ及びシグナリングメッセージを受信するとともに、業務データ及びシグナリングメッセージに対して処理（例えば、フォーマット、コーディング及びデインターリーブ）を行う。変調器９０７は、コーディングした業務データ及びシグナリングメッセージをさらに処理（例えば、シンボルマッピング及び変調）するとともに、出力サンプルを提供する。復調器９０９は、前記入力サンプルを処理（例えば、復調）するとともに、シンボル推定を提供する。デコーダ９０８は、前記シンボル推定を処理（例えば、デインターリーブ及び復号）するとともに、端末９００に送信した復号されたデータ及びシグナリングメッセージを提供する。エンコーダ９０６、変調器９０７、復調器９０９及びデコーダ９０８は、合成のモデムプロセッサー９０５により実現されることができる。これらのユニットは、無線アクセスネットワークが採用した無線アクセス技術（例えば、ＬＴＥ及び他のエボリューションシステムのアクセス技術）により処理を行う。なお、端末９００がモデムプロセッサー９０５を備えない場合、モデムプロセッサー９０５の上記機能は、プロセッサー９０３により完成されることもできる。
【０１２３】
プロセッサー９０３は、端末９００の動作に対して制御管理を行い、上記本発明の実施例において端末９００により行った処理手順を実行する。例えば、プロセッサー９０３は、さらに、上記方法の実施例において端末側に関するステップ、及び／又は本発明の実施例に記載の技術案の他のステップを実行する。
【０１２４】
さらに、端末９００は、メモリ９０４をさらに備えてもよく、メモリ９０４は、端末９００に用いられるプログラムコード及びデータを記憶する。
【０１２５】
本発明の実施例の上記基地局又は端末の機能を実行するためのプロセッサーは、中央処理装置（Ｃｅｎｔｒａｌ  Ｐｒｏｃｅｓｓｉｎｇ  Ｕｎｉｔ，ＣＰＵ）、汎用プロセッサー、デジタル信号プロセッサー（Ｄｉｇｉｔａｌ  Ｓｉｇｎａｌ  Ｐｒｏｃｅｓｓｏｒ，ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、書替え可能ゲートアレイ（Ｆｉｅｌｄ  Ｐｒｏｇｒａｍｍａｂｌｅ  Ｇａｔｅ  Ａｒｒａｙ，ＦＰＧＡ）又は他のプログラマブルロジックデバイス、トランジスタ論理回路、ハードウェアコンポーネント、又はそれらの任意の組み合わせであってもよい。それにより、本発明の実施例に開示されている内容に関連して記載した様々の例示的な論理ブロック、モジュール及び回路を実現又は実行することができる。前記プロセッサーは、演算機能を実現する組み合わせであってもよく、例えば、１つ又は複数のマイクロプロセッサー、ＤＳＰ及びマイクロプロセッサーを含む組み合わせ等。
【０１２６】
本発明の実施例に開示された内容に関連して記載した方法又はアルゴリズムのステップは、ハードウェアの状態で実現されることができ、プロセッサーによりソフトウェア指令を実行する方式によって実現されることもできる。ソフトウェア指令は、相応のソフトウェアモジュールにより構成されることができ、ソフトウェアモジュールは、ＲＡＭ（Ｒａｎｄｏｍ Ａｃｃｅｓｓ Ｍｅｍｏｒｙ）、フラッシュメモリ、ＲＯＭ（Ｒｅａｄ Ｏｎｌｙ Ｍｅｍｂｅｒ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、レジスタ、ハードディスク、リムーバブルハードディスク、ＣＤ−ＲＯＭ（Ｃｏｍｐａｃｔ  Ｄｉｓｃ−Ｒｅａｄ  Ｏｎｌｙ  Ｍｅｍｏｒｙ）又は当該技術分野でよく知られているその他の形式の記憶媒体に収納されることができる。一示例的な記憶媒体がプロセッサーに結合されることにより、プロセッサーは前記記憶媒体から情報を読み出すことができ、且つ前記記憶媒体に情報を書き込むことができる。もちろん、記憶媒体は、プロセッサーの構成要素であってもよい。プロセッサー及び記憶媒体は、ＡＳＩＣに常駐できる。また、前記ＡＳＩＣは、基地局又は端末に常駐できる。もちろん、プロセッサー及び記憶媒体は、ディスクリート構成要素として基地局又は端末に常駐できる。
【０１２７】
上記１つ又は複数の例示において、本発明の実施例に記載された機能は、ハードウェア、ソフトウェア、ファームウェア又はそれらの任意の組み合わせを用いて実現することができることを、当業者は気付くことができる。ソフトウェアを用いて実現する場合には、これらの機能をコンピュータ可読媒体に記憶し、又はコンピュータ可読媒体上の１つ又は複数の指令又はコードとして伝送を行うことができる。コンピュータ可読媒体は、コンピュータ記憶媒体及び通信媒体を含み、前記通信媒体は、１つの所から別の１つの所にコンピュータプログラムを伝送することに便利な任意の媒体を含む。記憶媒体は、汎用又は専用コンピュータがアクセスできる任意の可用媒体であってもよい。
【０１２８】
本発明の実施例は、コンピュータ記憶媒体をさらに提供し、上記基地局に用いられるコンピュータソフトウェア指令を記憶し、上記基地局側のリソーススケジューリング方法を実行するのに関するプログラムを含む。
【０１２９】
本発明の実施例は、コンピュータ記憶媒体をさらに提供し、上記端末に用いられるコンピュータソフトウェア指令を記憶し、上記端末側的リソーススケジューリング方法を実行するのに関するプログラムを含む。
【０１３０】
なお、本明細書に言及されている「複数」とは、２つ又は２つ以上である。「及び／又は」は、関連するオブジェクトの関連付けを示し、３つの関係が存在することを示す。例えば、Ａ及び／又はＢは、Ａが単独で存在する、Ａ及びＢが同時に存在する、Ｂが単独で存在すると言う３つの場合を示すことができる。符号「／」は、一般的には、前後の関連するオブジェクトが「又は」の関係であることを示す。
【０１３１】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１３２】
なお、本発明は、上記で記述され、図面で図示した特定の構成に限定されず、その範囲を離脱しない状況で、様々な修正や変更が実施されてもよい。本発明の範囲は、添付される特許請求の範囲のみにより限定される。
【図１】
0006492167.tif 000002
【図２】
0006492167.tif 000003
【図３】
0006492167.tif 000004
【図４】
0006492167.tif 000005
【図５】
0006492167.tif 000006
【図６】
0006492167.tif 000007
【図７】
0006492167.tif 000008
【図８】
0006492167.tif 000009
【図９】
0006492167.tif 000010